(57)【要約】      （修正有）【課題】著作権管理方式に違反しないコンテンツを配信することができるとともに、優先度が高い著作権管理方式のコンテンツを優先的に配信することができるようにする。【解決手段】ユーザが配信を希望しているコンテンツの著作権管理方式を確認し、コンテンツ取得端末との間の通信状況に基づいて、その著作権管理方式に対応しているコンテンツの配信が可能な状況にあるか否かを判定し、配信が可能な状況にあるコンテンツを配信対象のコンテンツに決定する。また、優先度が高い著作権管理方式に対応しているコンテンツから順番に配信されるように、配信対象に決定されたコンテンツの配信順序を決定する。【選択図】図２
2011215763.tif 000002
【特許請求の範囲】
【請求項１】
コンテンツを蓄積しているコンテンツ蓄積手段と、上記コンテンツ蓄積手段により蓄積されているコンテンツの識別情報及び著作権管理方式を示すメタデータを管理しているメタデータ管理手段と、上記コンテンツ蓄積手段により蓄積されているコンテンツを配信する際の著作権管理方式の優先度を管理している優先度管理手段と、コンテンツ取得端末から配信を希望する少なくとも１以上のコンテンツの識別情報を受信する識別情報受信手段と、上記メタデータ管理手段により管理されているメタデータを参照して、上記識別情報受信手段により受信された識別情報が示すコンテンツの著作権管理方式を確認し、上記コンテンツ取得端末との間の通信状況に基づいて、上記著作権管理方式に対応しているコンテンツの配信が可能な状況にあるか否かを判定する状況判定手段と、上記識別情報受信手段により受信された識別情報が示すコンテンツのうち、上記状況判定手段により配信が可能な状況にあると判定されたコンテンツを配信対象のコンテンツに決定する配信対象決定手段と、上記優先度管理手段により管理されている優先度を参照して、上記配信対象決定手段により配信対象に決定されたコンテンツの著作権管理方式の優先度を確認し、優先度が高い著作権管理方式に対応しているコンテンツから順番に配信されるように、配信対象に決定されたコンテンツの配信順序を決定する配信順序決定手段と、上記コンテンツ蓄積手段により蓄積されているコンテンツの中から、上記配信順序決定手段により決定された配信順序が先のコンテンツから順番に取得して、上記コンテンツを上記コンテンツ取得端末に配信するコンテンツ配信手段とを備えたコンテンツサーバ装置。
【請求項２】
配信対象決定手段は、識別情報受信手段により受信された識別情報が示すコンテンツの属性が、上記コンテンツはディレクトリに含まれている旨を示している場合、コンテンツ蓄積手段により蓄積されているコンテンツのうち、上記ディレクトリ内に含まれている全てのコンテンツを配信対象のコンテンツに決定し、上記コンテンツの属性が、上記コンテンツはファイルに含まれている旨を示している場合、上記コンテンツ蓄積手段により蓄積されているコンテンツのうち、上記ファイル内に含まれている１個のコンテンツを配信対象のコンテンツに決定することを特徴とする請求項１記載のコンテンツサーバ装置。
【請求項３】
コンテンツ配信手段は、コンテンツをコンテンツ取得端末に配信する際、上記コンテンツの著作権管理方式に対応する上記コンテンツ取得端末の認証処理を実施し、上記コンテンツ取得端末の認証が得られれば、上記コンテンツの著作権管理方式に対応する暗号鍵を用いて、上記コンテンツを暗号化し、上記暗号鍵及び暗号化後のコンテンツを上記コンテンツ取得端末に配信することを特徴とする請求項１または請求項２記載のコンテンツサーバ装置。
【請求項４】
配信を希望するコンテンツを指定して、上記コンテンツの配信を受けるコンテンツ取得端末と、上記コンテンツ取得端末により指定されたコンテンツを配信するコンテンツサーバ装置とを備えたコンテンツ配信システムにおいて、
上記コンテンツサーバ装置は、コンテンツを蓄積しているコンテンツ蓄積手段と、上記コンテンツ蓄積手段により蓄積されているコンテンツの識別情報及び著作権管理方式を示すメタデータを管理しているメタデータ管理手段と、上記コンテンツ蓄積手段により蓄積されているコンテンツを配信する際の著作権管理方式の優先度を管理している優先度管理手段と、上記コンテンツ取得端末から配信を希望する少なくとも１以上のコンテンツの識別情報を受信する識別情報受信手段と、上記メタデータ管理手段により管理されているメタデータを参照して、上記識別情報受信手段により受信された識別情報が示すコンテンツの著作権管理方式を確認し、上記コンテンツ取得端末との間の通信状況に基づいて、上記著作権管理方式に対応しているコンテンツの配信が可能な状況にあるか否かを判定する状況判定手段と、上記識別情報受信手段により受信された識別情報が示すコンテンツのうち、上記状況判定手段により配信が可能な状況にあると判定されたコンテンツを配信対象のコンテンツに決定する配信対象決定手段と、上記優先度管理手段により管理されている優先度を参照して、上記配信対象決定手段により配信対象に決定されたコンテンツの著作権管理方式の優先度を確認し、優先度が高い著作権管理方式に対応しているコンテンツから順番に配信されるように、配信対象に決定されたコンテンツの配信順序を決定する配信順序決定手段と、上記コンテンツ蓄積手段により蓄積されているコンテンツの中から、上記配信順序決定手段により決定された配信順序が先のコンテンツから順番に取得して、上記コンテンツを上記コンテンツ取得端末に配信するコンテンツ配信手段とを備えていることを特徴とするコンテンツ配信システム。
【発明の詳細な説明】
【技術分野】
【０００１】
この発明は、コンテンツ取得端末から要求されたコンテンツを配信するコンテンツサーバ装置及びコンテンツ配信システムに関するものである。
【背景技術】
【０００２】
例えば、以下の特許文献１には、コンテンツの再生を行う車載プレイヤ装置（コンテンツ取得端末）から所望のコンテンツの配信要求を受信すると、ＬＡＮ（Ｌｏｃａｌ  Ａｒｅａ  Ｎｅｔｗｏｒｋ）、インターネット又は携帯電話回線のいずれかの通信路を利用して、所望のコンテンツを車載プレイヤ装置に配信するコンテンツサーバ装置が開示されている。
このコンテンツサーバ装置では、車載プレイヤ装置からコンテンツの配信要求を受信したときに、迅速に所望のコンテンツを配信することができるようにするために、予め、車載プレイヤ装置と共有している固有情報を用いて、配信する可能性があるコンテンツを暗号化しており、車載プレイヤ装置からコンテンツの配信要求を受信したとき、コンテンツの配信に利用する通信路を区別せずに、迅速に暗号化済みコンテンツを配信するようにしている。
【０００３】
しかし、例えば、ＤＴＣＰ−ＩＰ（Ｄｉｇｉｔａｌ  Ｔｒａｎｓｍｉｓｓｉｏｎ  Ｃｏｎｔｅｎｔ  Ｐｒｏｔｅｃｔｉｏｎ  ｏｖｅｒ  Ｉｎｔｅｒｎｅｔ  Ｐｒｏｔｏｃｏｌ）仕様にしたがって、ネットワーク配信を行う地上デジタル放送の録画コンテンツなどでは、著作権の管理方式において、ＬＡＮ経由での配信は認められているが、インターネットや携帯電話回線経由での配信は認められていない。
このため、コンテンツサーバ装置がコンテンツの配信に利用する通信路を区別せずに、コンテンツを配信すると、インターネットや携帯電話回線経由での配信が行われて、著作権の管理方式に違反する事態を招くことがある。
【０００４】
また、車載プレイヤ装置は、自動車などの移動体に搭載されて移動するため、コンテンツサーバ装置との間の通信状況が時々刻々と変化する。
このため、ある時間帯では、例えば、著作権管理方式Ａ，Ｂ，Ｃのコンテンツの配信が可能な通信状況であっても、ある時間帯では、著作権管理方式Ａのコンテンツの配信は可能であるが、著作権管理方式Ｂ，Ｃのコンテンツの配信は不可能な通信状況になることがある。
しかし、このコンテンツサーバ装置では、通信状況に応じて配信可能なコンテンツの著作権管理方式を確認することはないため、著作権管理方式に違反して、コンテンツを配信してしまうことがある。
【０００５】
また、このコンテンツサーバ装置では、車載プレイヤ装置から複数のコンテンツの配信要求を受信すると、複数の暗号化済みコンテンツを配信するようにしている。
このとき、複数のコンテンツの著作権管理方式が異なる場合があるが、特に著作権管理方式の優先度については設定されていないため、著作権管理方式の優先度と無関係に複数の暗号化済みコンテンツを順次配信する。
【先行技術文献】
【特許文献】
【０００６】
【特許文献１】特開２００７−５８８１０号公報（図１）
【発明の概要】
【発明が解決しようとする課題】
【０００７】
従来のコンテンツサーバ装置は以上のように構成されているので、コンテンツの配信に利用する通信路を区別せずに、コンテンツを配信している。また、車載プレイヤ装置との間の通信状況を確認せずに、コンテンツを配信している。このため、コンテンツの配信に利用する通信路あるいは車載プレイヤ装置との間の通信状況によっては、著作権管理方式に違反して、コンテンツを配信してしまうことがある課題があった。
また、著作権管理方式が異なる複数のコンテンツを配信する際、著作権管理方式の優先度と無関係に複数のコンテンツを順次配信するようにしている。このため、例えば、利用機会が少ない著作権管理方式のコンテンツを優先的に配信するなどの便宜を図って、そのようなコンテンツの視聴機会を増やすことができない課題があった。
【０００８】
この発明は上記のような課題を解決するためになされたもので、著作権管理方式に違反しないようにコンテンツを配信することができるとともに、優先度が高い著作権管理方式のコンテンツを優先的に配信することができるコンテンツサーバ装置及びコンテンツ配信システムを得ることを目的とする。
【課題を解決するための手段】
【０００９】
この発明に係るコンテンツサーバ装置は、メタデータ管理手段により管理されているメタデータを参照して、識別情報受信手段により受信された識別情報が示すコンテンツの著作権管理方式を確認し、コンテンツ取得端末との間の通信状況に基づいて、その著作権管理方式に対応しているコンテンツの配信が可能な状況にあるか否かを判定する状況判定手段と、識別情報受信手段により受信された識別情報が示すコンテンツのうち、状況判定手段により配信が可能な状況にあると判定されたコンテンツを配信対象のコンテンツに決定する配信対象決定手段と、優先度管理手段により管理されている優先度を参照して、配信対象決定手段により配信対象に決定されたコンテンツの著作権管理方式の優先度を確認し、優先度が高い著作権管理方式に対応しているコンテンツから順番に配信されるように、配信対象に決定されたコンテンツの配信順序を決定する配信順序決定手段とを設け、コンテンツ配信手段がコンテンツ蓄積手段により蓄積されているコンテンツの中から、配信順序決定手段により決定された配信順序が先のコンテンツから順番に取得して、そのコンテンツをコンテンツ取得端末に配信するようにしたものである。
【発明の効果】
【００１０】
この発明によれば、メタデータ管理手段により管理されているメタデータを参照して、識別情報受信手段により受信された識別情報が示すコンテンツの著作権管理方式を確認し、コンテンツ取得端末との間の通信状況に基づいて、その著作権管理方式に対応しているコンテンツの配信が可能な状況にあるか否かを判定する状況判定手段と、識別情報受信手段により受信された識別情報が示すコンテンツのうち、状況判定手段により配信が可能な状況にあると判定されたコンテンツを配信対象のコンテンツに決定する配信対象決定手段と、優先度管理手段により管理されている優先度を参照して、配信対象決定手段により配信対象に決定されたコンテンツの著作権管理方式の優先度を確認し、優先度が高い著作権管理方式に対応しているコンテンツから順番に配信されるように、配信対象に決定されたコンテンツの配信順序を決定する配信順序決定手段とを設け、コンテンツ配信手段がコンテンツ蓄積手段により蓄積されているコンテンツの中から、配信順序決定手段により決定された配信順序が先のコンテンツから順番に取得して、そのコンテンツをコンテンツ取得端末に配信するように構成したので、著作権管理方式に違反しないコンテンツを配信することができるとともに、優先度が高い著作権管理方式のコンテンツを優先的に配信することができる効果がある。
【図面の簡単な説明】
【００１１】
【図１】この発明の実施の形態１によるコンテンツサーバ装置を適用するコンテンツ配信システムを示す構成図である。
【図２】この発明の実施の形態１によるコンテンツサーバ装置を示す構成図である。
【図３】この発明の実施の形態１によるコンテンツサーバ装置における各処理部の間のやり取りを示すシーケンス図である。
【図４】この発明の実施の形態１によるコンテンツサーバ装置のコンテンツ配信予定リスト生成部１７の処理内容を示すフローチャートである。
【図５】コンテンツ取得要求リストの一例を示す説明図である。
【図６】コンテンツ配信予定リストの一例を示す説明図である。
【図７】著作権管理方式優先度プロファイルの一例を示す説明図である。
【図８】配信順序決定部２１による配信順序整列後のコンテンツ配信予定リストの一例を示す説明図である。
【発明を実施するための形態】
【００１２】
実施の形態１．
図１はこの発明の実施の形態１によるコンテンツサーバ装置を適用するコンテンツ配信システムを示す構成図であり、図２はこの発明の実施の形態１によるコンテンツサーバ装置を示す構成図である。
図１及び図２において、コンテンツ取得端末１は例えば車載プレイヤ装置や携帯情報端末（例えば、携帯電話、モバイルＰＣ）などが該当し、所望のコンテンツの配信要求をコンテンツサーバ装置２に送信して、コンテンツサーバ装置２から所望のコンテンツを受信し、そのコンテンツの再生を行う装置である。
【００１３】
コンテンツサーバ装置２は例えば宅内に設置されており、コンテンツ取得端末１からコンテンツの配信要求を受信すると、そのコンテンツをコンテンツ取得端末１に配信する装置である。
ただし、コンテンツサーバ装置２はコンテンツをコンテンツ取得端末１に配信する際、そのコンテンツ取得端末１が無線ルータ３の通信可能な範囲内に存在している場合（コンテンツ取得端末１がコンテンツサーバ装置２と同一のネットワークセグメントに存在している場合）、無線ルータ３を用いて、直接、コンテンツをコンテンツ取得端末１に配信する。
一方、そのコンテンツ取得端末１が無線ルータ３の通信可能な範囲内に存在していない場合、インターネット４及び無線アクセスポイント５経由で、コンテンツをコンテンツ取得端末１に配信する。
【００１４】
コンテンツサーバ装置２の通信インタフェース部１１は無線ルータ３に対するインタフェース機器であり、コンテンツ取得端末１から送信された各種の取得要求を受信し、また、コンテンツメタデータ、コンテンツ配信予定リストやコンテンツなどを送信する処理を実施する。
コンテンツ蓄積部１２は多くのコンテンツを蓄積している例えばハードディスクなどの記録媒体である。なお、コンテンツ蓄積部１２はコンテンツ蓄積手段を構成している。
【００１５】
メタデータ管理部１３はコンテンツ蓄積部１２により蓄積されているコンテンツのメタデータが記録されているメタデータ記憶メモリ１３ａを内蔵し、そのコンテンツのメタデータを管理している。
コンテンツのメタデータの一例
（１）コンテンツのタイトル
（２）コンテンツのフォーマット（例えば、ＭＰＥＧ−２ＰＳ、ＭＰＥＧ−２ＴＳ  ＭＰ
３、ＪＰＥＧなど）
（３）コンテンツのメタデータを識別するオブジェクトＩＤ
（４）コンテンツ蓄積部１２におけるコンテンツの記録先を示すＵＲＩ（Ｕｎｉｆｏｒｍ
Ｒｅｓｏｕｒｃｅ  Ｉｄｅｎｔｉｆｉｅｒ）
（５）コンテンツの著作権管理方式
（６）コンテンツの属性（コンテンツがディレクトリ又はファイルのいずれに含まれてい
るかを示す情報）
なお、メタデータ管理部１３はメタデータ管理手段を構成している。
【００１６】
著作権管理方式優先度管理部１４は著作権管理方式優先度プロファイル（コンテンツ蓄積部１２により蓄積されているコンテンツを配信する際の著作権管理方式の優先度）が記録されている優先度記憶メモリ１４ａを内蔵し、その著作権管理方式の優先度を管理している。なお、著作権管理方式優先度管理部１４は優先度管理手段を構成している。
【００１７】
要求受信部１５は通信インタフェース部１１を介して、コンテンツ取得端末１から送信された要求（例えば、コンテンツメタデータ取得要求、コンテンツ配信予定リスト生成要求（配信を希望するコンテンツを識別する識別情報を含んでいる）、認証・鍵交換要求、コンテンツ配信開始要求）を受信する処理を実施する。なお、要求受信部１５は識別情報受信手段を構成している。
メタデータ配信部１６は要求受信部１５がコンテンツ取得端末１から送信されたコンテンツメタデータ取得要求を受信すると、通信インタフェース部１１を介して、メタデータ管理部１３により管理されているコンテンツのメタデータをコンテンツ取得端末１に配信する処理を実施する。
【００１８】
コンテンツ配信予定リスト生成部１７は要求受信部１５がコンテンツ取得端末１から送信されたコンテンツ配信予定リスト生成要求を受信すると、そのコンテンツ配信予定リスト生成要求に含まれている配信希望のＮ（Ｎ＝１，２，３・・・）個のコンテンツを配信予定のコンテンツとしてリストアップし、配信予定のコンテンツを列挙しているコンテンツ配信予定リストを生成する処理を実施する。
このとき、コンテンツ配信予定リストには、配信予定のコンテンツを識別する配信リストＩＤ（識別情報）、配信予定のコンテンツのタイトル、著作権管理方式及びフォーマットが記述される。
【００１９】
通信状況確認部１８は状況判定部１９の指示の下、通信インタフェース部１１を介して、コンテンツ取得端末１との間の通信状況を確認する処理を実施する。
状況判定部１９はメタデータ管理部１３により管理されているメタデータを参照して、コンテンツ配信予定リスト生成部１７により生成されたコンテンツ配信予定リストにリストアップされているＮ個のコンテンツの著作権管理方式を確認し、通信状況確認部１８により確認されたコンテンツ取得端末１との間の通信状況に基づいて、その著作権管理方式に対応しているＮ個のコンテンツの配信が、それぞれ可能な状況にあるか否かを判定する処理を実施する。
なお、通信状況確認部１８及び状況判定部１９から状況判定手段が構成されている。
【００２０】
配信対象決定部２０はコンテンツ配信予定リスト生成部１７により生成されたコンテンツ配信予定リストにリストアップされているＮ個のコンテンツのうち、状況判定部１９により配信が可能な状況にあると判定されたコンテンツを配信対象のコンテンツに決定する処理を実施する。
なお、コンテンツ配信予定リスト生成部１７及び配信対象決定部２０から配信対象決定手段が構成されている。
【００２１】
配信順序決定部２１はコンテンツ配信予定リスト生成部１７により生成されたコンテンツ配信予定リストにリストアップされているＮ個のコンテンツのうち、配信対象決定部２０により配信対象に決定されたコンテンツ以外のコンテンツ（非配信対象のコンテンツ）をコンテンツ配信予定リストから外すフィルタリング処理を実施する。
また、配信順序決定部２１は著作権管理方式優先度管理部１４により管理されている優先度を参照して、配信対象決定部２０により配信対象に決定されたコンテンツの著作権管理方式の優先度を確認し、優先度が高い著作権管理方式に対応しているコンテンツから順番に配信されるように、コンテンツ配信予定リストにリストアップされているコンテンツの配信順序を決定して、コンテンツ配信予定リスト中のコンテンツを配信順序通りにソートを行う。
なお、配信順序決定部２１は配信順序決定手段を構成している。
【００２２】
コンテンツ配信予定リスト配信部２２は通信インタフェース部１１を介して、配信順序決定部２１による処理後のコンテンツ配信予定リストをコンテンツ取得端末１に配信する処理を実施する。
認証・鍵交換部２３は要求受信部１５がコンテンツ取得端末１から送信された認証・鍵交換要求を受信すると、コンテンツ配信予定リストにリストアップされているコンテンツの著作権管理方式に対応するコンテンツ取得端末１の認証処理を実施し、通信インタフェース部１１を介して、その認証結果をコンテンツ取得端末１に送信する処理を実施する。
また、認証・鍵交換部２３はコンテンツ取得端末１の認証が得られれば、そのコンテンツの著作権管理方式に対応する暗号鍵をコンテンツ配信部２４に出力するとともに、通信インタフェース部１１を介して、その暗号鍵をコンテンツ取得端末１に送信する処理を実施する。
【００２３】
コンテンツ配信部２４は要求受信部１５がコンテンツ取得端末１から送信されたコンテンツ配信開始要求を受信すると、コンテンツ蓄積部１２により蓄積されているコンテンツの中から、配信順序決定部２１により決定された配信順序が先のコンテンツから順番に取得して、認証・鍵交換部２３から出力された暗号鍵を用いて、そのコンテンツを暗号化し、通信インタフェース部１１を介して、暗号化後のコンテンツをコンテンツ取得端末１に順番に配信する処理を実施する。
なお、認証・鍵交換部２３及びコンテンツ配信部２４からコンテンツ配信手段が構成されている。
【００２４】
図１の著作権管理方式利用可能判定部３１は通信状況確認部１８及び状況判定部１９から構成されており、コンテンツ配信制御部３２は、メタデータ管理部１３、要求受信部１５、配信対象決定部２０、配信順序決定部２１、コンテンツ配信予定リスト配信部２２及びコンテンツ配信部２４から構成されている。
【００２５】
図１の例では、コンテンツサーバ装置の構成要素である通信インタフェース部１１、メタデータ管理部１３、著作権管理方式優先度管理部１４、要求受信部１５、メタデータ配信部１６、コンテンツ配信予定リスト生成部１７、通信状況確認部１８、状況判定部１９、配信対象決定部２０、配信順序決定部２１、コンテンツ配信予定リスト配信部２２、認証・鍵交換部２３及びコンテンツ配信部２４のそれぞれが専用のハードウェア（例えば、ＣＰＵを実装している半導体集積回路、あるいは、ワンチップマイコンなど）で構成されているものを想定しているが、コンテンツサーバ装置２がコンピュータで構成される場合、通信インタフェース部１１、メタデータ管理部１３、著作権管理方式優先度管理部１４、要求受信部１５、メタデータ配信部１６、コンテンツ配信予定リスト生成部１７、通信状況確認部１８、状況判定部１９、配信対象決定部２０、配信順序決定部２１、コンテンツ配信予定リスト配信部２２、認証・鍵交換部２３及びコンテンツ配信部２４の処理内容を記述しているプログラムをコンピュータのメモリに格納し、当該コンピュータのＣＰＵが当該メモリに格納されているプログラムを実行するようにしてもよい。
【００２６】
図３はこの発明の実施の形態１によるコンテンツサーバ装置における各処理部の間のやり取りを示すシーケンス図である。
また、図４はこの発明の実施の形態１によるコンテンツサーバ装置のコンテンツ配信予定リスト生成部１７の処理内容を示すフローチャートである。
【００２７】
次に動作について説明する。
コンテンツサーバ装置２のメタデータ配信部１６は、例えば、ＵＰｎＰ（Ｕｎｉｖｅｒｓａｌ  Ｐｌｕｇ  ａｎｄ  Ｐｌａｙ）などが定める形式にしたがって、コンテンツサーバ装置２のメタデータ（コンテンツサーバ装置２の属性を判別することが可能な情報）を、通信インタフェース部１１を介して、コンテンツ取得端末１に配信する。
コンテンツ取得端末１は、コンテンツサーバ装置２のメタデータを受信すると、そのメタデータを参照して、そのコンテンツサーバ装置２と通信を確立する。
【００２８】
コンテンツ取得端末１は、コンテンツサーバ装置２と通信を確立すると、どのようなコンテンツがコンテンツサーバ装置２に蓄積されているかを確認するため、例えば、ＳＯＡＰ（Ｓｉｍｐｌｅ  Ｏｂｊｅｃｔ  Ａｃｃｅｓｓ  Ｐｒｏｔｏｃｏｌ）などによって記述されているコンテンツメタデータ取得要求をコンテンツサーバ装置２に送信する（ステップＳＴ１）。
コンテンツサーバ装置２におけるコンテンツ配信制御部３２の要求受信部１５は、通信インタフェース部１１を介して、コンテンツ取得端末１から送信されたコンテンツメタデータ取得要求を受信すると、そのコンテンツメタデータ取得要求をメタデータ配信部１６に出力する（ステップＳＴ２）。
【００２９】
メタデータ配信部１６は、要求受信部１５からコンテンツメタデータ取得要求を受けると、コンテンツ配信制御部３２のメタデータ管理部１３からコンテンツのメタデータを取得するために、そのコンテンツメタデータ取得要求をメタデータ管理部１３に転送する（ステップＳＴ２）。
メタデータ管理部１３は、メタデータ配信部１６からコンテンツメタデータ取得要求を受けると、メタデータ記憶メモリ１３ａからコンテンツのメタデータを読み出し、コンテンツのメタデータをメタデータ配信部１６に出力する（ステップＳＴ３）。
【００３０】
メタデータ配信部１６は、メタデータ管理部１３からコンテンツのメタデータを受けると、コンテンツ取得端末１が解釈可能な例えばＳＯＡＰなどの形式で、そのコンテンツのメタデータをコンテンツ取得端末１に配信する（ステップＳＴ４）。
コンテンツ取得端末１は、コンテンツサーバ装置２から配信されたコンテンツのメタデータを受信すると、そのメタデータを図示せぬディスプレイに表示することにより、配信希望のコンテンツの選択を受け付ける処理を行う。
即ち、コンテンツのメタデータは、上述したように、コンテンツのタイトル、コンテンツのフォーマット、コンテンツのメタデータを識別するオブジェクトＩＤ、コンテンツの記録先を示すＵＲＩ、コンテンツの著作権管理方式、コンテンツの属性などが含まれているので、ユーザが、そのメタデータを参照して、配信を希望するコンテンツを選択し、そのコンテンツを指定するようにする。
なお、ステップＳＴ１〜ＳＴ４の処理は、ユーザがコンテンツの選択を終了するまで、任意の回数繰り返される。
【００３１】
コンテンツ取得端末１は、ユーザが配信を希望するＮ（Ｎ＝１，２，３・・・）個のコンテンツを選択すると、Ｎ個のコンテンツを識別する識別情報（要求ＩＤ、オブジェクトＩＤ、属性）などが記述されているコンテンツ取得要求リストを生成し、そのコンテンツ取得要求リストを含むコンテンツ配信予定リスト生成要求をコンテンツサーバ装置２に送信する。
ここで、図５はコンテンツ取得要求リストの一例を示す説明図である。
図５において、「要求ＩＤ」はユーザがコンテンツ群（ディレクトリに含まれている全てのコンテンツ）又は個々のコンテンツ（個々のファイルに含まれているコンテンツ）の配信を要求する際、その要求を識別するＩＤである。
また、「オブジェクトＩＤ」はユーザが配信を希望するコンテンツ群を含んでいるディレクトリ又はユーザが配信を希望する個々のコンテンツを含んでいるファイルを識別するＩＤである。
「属性」はコンテンツがディレクトリ又はファイルのいずれに含まれているか否かを示す情報であり、「フォーマット」はユーザが配信を希望するコンテンツのフォーマットである。
【００３２】
なお、コンテンツ取得要求リストは、ユーザがコンテンツ取得端末１のディスプレイに表示されているコンテンツのメタデータを見ながら、コンテンツ取得端末１のユーザインタフェース（例えば、キーボード、マウス、操作専用キーなど）を操作することで生成されるものである。
また、ユーザがディレクトリに含まれている全てのコンテンツの配信を希望する際にはディレクトリ単位で指定し、個々のファイルに含まれているコンテンツの配信を希望する際にはファイル単位で指定することが可能なものである。
【００３３】
コンテンツサーバ装置２におけるコンテンツ配信制御部３２の要求受信部１５は、通信インタフェース部１１を介して、コンテンツ取得端末１から送信されたコンテンツ配信予定リスト生成要求を受信すると（ステップＳＴ５）、そのコンテンツ配信予定リスト生成要求をコンテンツ配信予定リスト生成部１７に出力する（ステップＳＴ６）。
コンテンツ配信予定リスト生成部１７は、要求受信部１５からコンテンツ配信予定リスト生成要求を受けると、そのコンテンツ配信予定リスト生成要求に含まれている図５のコンテンツ取得要求リストを参照して、ユーザが配信を希望しているＮ個のコンテンツを認識し、そのコンテンツを配信予定のコンテンツとしてリストアップする。
【００３４】
コンテンツ配信予定リスト生成部１７は、配信予定のコンテンツをリストアップすると、メタデータ管理部１３のメタデータ記憶メモリ１３ａに記録されているコンテンツのメタデータを参照して、配信予定のコンテンツを識別する配信リストＩＤ、配信予定のコンテンツのタイトル、著作権管理方式及びフォーマットを記述しているコンテンツ配信予定リストを生成し（ステップＳＴ７）、そのコンテンツ配信予定リストをコンテンツ配信制御部３２の配信対象決定部２０及び配信順序決定部２１に出力する（ステップＳＴ８）。
【００３５】
図６はコンテンツ配信予定リストの一例を示す説明図である。
図６の例では、８個のコンテンツを配信予定のコンテンツとしてリストアップしており、８個のコンテンツを識別する配信リストＩＤ、８個のコンテンツのタイトル、著作権管理方式及びフォーマットを記述している。
以下、図４のフローチャートを参照しながら、コンテンツ配信予定リスト生成部１７によるコンテンツ配信予定リストの生成処理を具体的に説明する。
ただし、ここでは、説明の便宜上、図５のコンテンツ取得要求リストを参照して、コンテンツ配信予定リストを生成する例を説明する。
【００３６】
図５のコンテンツ取得要求リストには４個の要求ＩＤが含まれているので、最初に、コンテンツ配信予定リスト生成部１７は、要求ＩＤ“１”に対応するオブジェクトＩＤ“００１”、コンテンツの属性“ディレクトリ”、コンテンツのフォーマット“ＭＰＥＧ−２ＰＳ”の読み出しを行う（ステップＳＴ４１）。
次に、コンテンツ配信予定リスト生成部１７は、要求ＩＤ“１”に対応するコンテンツの属性が“ディレクトリ”であるため（ステップＳＴ４２）、メタデータ管理部１３のメタデータ記憶メモリ１３ａから、オブジェクトＩＤ“００１”に対応するディレクトリに含まれている全てのコンテンツのメタデータを取得する（ステップＳＴ４３）。
【００３７】
コンテンツ配信予定リスト生成部１７は、ディレクトリに含まれている全てのコンテンツのメタデータを取得すると、そのメタデータを参照して、ディレクトリに含まれている全てのコンテンツのタイトル、著作権管理方式及びフォーマットを確認し、全てのコンテンツのタイトル、著作権管理方式及びフォーマットをコンテンツ配信予定リストに記述する（ステップＳＴ４４）。
図６では、オブジェクトＩＤ“００１”に対応するディレクトリには２個のコンテンツが含まれている例を示しており、２個のコンテンツには、配信リストＩＤとして“１”，“２”、タイトルとして“家族旅行／沖縄”，“家族旅行／長野”、著作権管理方式として“なし”，“なし”、フォーマットとして“ＭＰＥＧ−２ＰＳ”，“ＭＰＥＧ−２ＰＳ”が、コンテンツ配信予定リストにそれぞれ記述されている。
【００３８】
コンテンツ配信予定リスト生成部１７は、この段階では、コンテンツ取得要求リストに含まれている４個の要求ＩＤのうち、１個の要求ＩＤに係る処理しかしていないため（ステップＳＴ４７）、ステップＳＴ４１の処理に戻り、ステップＳＴ４１〜ＳＴ４６の処理を実行する。
即ち、コンテンツ配信予定リスト生成部１７は、未処理の要求ＩＤである要求ＩＤ“２”に対応するオブジェクトＩＤ“００２”、コンテンツの属性“ディレクトリ”、コンテンツのフォーマット“ＭＰＥＧ−２ＴＳ”の読み出しを行う（ステップＳＴ４１）。
次に、コンテンツ配信予定リスト生成部１７は、要求ＩＤ“２”に対応するコンテンツの属性が“ディレクトリ”であるため（ステップＳＴ４２）、メタデータ管理部１３のメタデータ記憶メモリ１３ａから、オブジェクトＩＤ“００２”に対応するディレクトリに含まれている全てのコンテンツのメタデータを取得する（ステップＳＴ４３）。
【００３９】
コンテンツ配信予定リスト生成部１７は、ディレクトリに含まれている全てのコンテンツのメタデータを取得すると、そのメタデータを参照して、ディレクトリに含まれている全てのコンテンツのタイトル、著作権管理方式及びフォーマットを確認し、全てのコンテンツのタイトル、著作権管理方式及びフォーマットをコンテンツ配信予定リストに記述する（ステップＳＴ４４）。
図６では、オブジェクトＩＤ“００２”に対応するディレクトリには２個のコンテンツが含まれている例を示しており、２個のコンテンツには、配信リストＩＤとして“３”，“４”、タイトルとして“お気に入りドラマ／第１回”，“お気に入りドラマ／第２回”、著作権管理方式として“方式Ａ”，“方式Ａ”、フォーマットとして“ＭＰＥＧ−２ＴＳ”，“ＭＰＥＧ−２ＴＳ”が、コンテンツ配信予定リストにそれぞれ記述されている。
【００４０】
コンテンツ配信予定リスト生成部１７は、この段階では、コンテンツ取得要求リストに含まれている４個の要求ＩＤのうち、２個の要求ＩＤに係る処理しかしていないため（ステップＳＴ４７）、ステップＳＴ４１の処理に戻り、ステップＳＴ４１〜ＳＴ４６の処理を実行する。
即ち、コンテンツ配信予定リスト生成部１７は、未処理の要求ＩＤである要求ＩＤ“３”に対応するオブジェクトＩＤ“００３”、コンテンツの属性“ディレクトリ”、コンテンツのフォーマット“ＭＰＥＧ−２ＴＳ”の読み出しを行う（ステップＳＴ４１）。
次に、コンテンツ配信予定リスト生成部１７は、要求ＩＤ“３”に対応するコンテンツの属性が“ディレクトリ”であるため（ステップＳＴ４２）、メタデータ管理部１３のメタデータ記憶メモリ１３ａから、オブジェクトＩＤ“００３”に対応するディレクトリに含まれている全てのコンテンツのメタデータを取得する（ステップＳＴ４３）。
【００４１】
コンテンツ配信予定リスト生成部１７は、ディレクトリに含まれている全てのコンテンツのメタデータを取得すると、そのメタデータを参照して、ディレクトリに含まれている全てのコンテンツのタイトル、著作権管理方式及びフォーマットを確認し、全てのコンテンツのタイトル、著作権管理方式及びフォーマットをコンテンツ配信予定リストに記述する（ステップＳＴ４４）。
図６では、オブジェクトＩＤ“００３”に対応するディレクトリには３個のコンテンツが含まれている例を示しており、３個のコンテンツには、配信リストＩＤとして“５”，“６”，“７”、タイトルとして“お気に入り洋楽／ｔｒａｃｋ１”，“お気に入り洋楽／ｔｒａｃｋ２”，“お気に入り洋楽／ｔｒａｃｋ２”、著作権管理方式として“方式Ｂ”，“方式Ｂ”，“方式Ｂ”、フォーマットとして“ＭＰ３”，“ＭＰ３”が、コンテンツ配信予定リストにそれぞれ記述されている。
【００４２】
コンテンツ配信予定リスト生成部１７は、この段階では、コンテンツ取得要求リストに含まれている４個の要求ＩＤのうち、３個の要求ＩＤに係る処理しかしていないため（ステップＳＴ４７）、ステップＳＴ４１の処理に戻り、ステップＳＴ４１〜ＳＴ４６の処理を実行する。
即ち、コンテンツ配信予定リスト生成部１７は、未処理の要求ＩＤである要求ＩＤ“４”に対応するオブジェクトＩＤ“００４”、コンテンツの属性“ファイル”、コンテンツのフォーマット“ＪＰＥＧ”の読み出しを行う（ステップＳＴ４１）。
次に、コンテンツ配信予定リスト生成部１７は、要求ＩＤ“４”に対応するコンテンツの属性が“ファイル”であるため（ステップＳＴ４２）、メタデータ管理部１３のメタデータ記憶メモリ１３ａから、オブジェクトＩＤ“００４”に対応するファイルに含まれている１個のコンテンツのメタデータを取得する（ステップＳＴ４５）。
【００４３】
コンテンツ配信予定リスト生成部１７は、ファイルに含まれている１個のコンテンツのメタデータを取得すると、そのメタデータを参照して、ファイルに含まれている１個のコンテンツのタイトル、著作権管理方式及びフォーマットを確認し、そのコンテンツのタイトル、著作権管理方式及びフォーマットをコンテンツ配信予定リストに記述する（ステップＳＴ４６）。
図６では、オブジェクトＩＤ“００４”に対応するファイルに含まれているコンテンツには、配信リストＩＤとして“８”、タイトルとして“家族写真”、著作権管理方式として“なし”、フォーマットとして“ＪＰＥＧ”が、コンテンツ配信予定リストにそれぞれ記述されている。
【００４４】
コンテンツ配信予定リスト生成部１７は、この段階で、コンテンツ取得要求リストに含まれている４個の要求ＩＤの処理を終えているので（ステップＳＴ４７）、生成したコンテンツ配信予定リストをコンテンツ配信制御部３２の配信対象決定部２０及び配信順序決定部２１に出力する（ステップＳＴ４８）。
【００４５】
コンテンツ配信制御部３２の配信順序決定部２１は、コンテンツ配信予定リスト生成部１７からコンテンツ配信予定リストを受けると、そのコンテンツ配信予定リストを含む著作権管理方式利用可能判定取得要求を著作権管理方式利用可能判定部３１の状況判定部１９に出力する（ステップＳＴ９）。
著作権管理方式利用可能判定部３１の状況判定部１９は、配信順序決定部２１から著作権管理方式利用可能判定取得要求を受けると、以下に示す著作権管理方式利用可能判定処理を実施する（ステップＳＴ１０）。
【００４６】
まず、状況判定部１９は、メタデータ管理部１３により管理されているメタデータを参照して、コンテンツ配信予定リスト生成部１７により生成されたコンテンツ配信予定リストにリストアップされているＮ個（図６の例では、Ｎ＝８）のコンテンツの著作権管理方式を確認する。
図６の例では、配信リストＩＤ＝１，２，８のコンテンツの著作権管理方式が“なし”、配信リストＩＤ＝３，４のコンテンツの著作権管理方式が“方式Ａ”、配信リストＩＤ＝５，６，７のコンテンツの著作権管理方式が“方式Ｂ”である。
【００４７】
例えば、著作権管理方式が“なし”のコンテンツについては、通信状況の変化に伴う配信の制限がないが、“方式Ａ”又は“方式Ｂ”に対応するコンテンツについては、通信状況の変化に伴う配信の制限があるものとする。
この場合、状況判定部１９は、現在、“方式Ａ”又は“方式Ｂ”に対応するコンテンツ（配信リストＩＤ＝３，４，５，６，７）を配信することが可能な状況であるか否かを確認するために、コンテンツ取得端末１との間の通信状況の確認依頼を通信状況確認部１８に出力する。
【００４８】
通信状況確認部１８は、状況判定部１９から通信状況の確認依頼を受けると、通信インタフェース部１１を介して、コンテンツ取得端末１との間の通信状況を確認する。
例えば、“方式Ａ”又は“方式Ｂ”の著作権管理方式がＤＴＣＰ−ＩＰである場合、通信状況を示す指標として、ＩＰパケットの有効期限を示すＴＴＬ（Ｔｉｍｅ  Ｔｏ  Ｌｉｖｅ）と、ＤＴＣＰ−ＩＰの仕様で定義されている往復遅延時間を示すＲＴＴ（Ｒｏｕｎｄ  Ｔｒｉｐ  Ｔｉｍｅ）とを確認する。
また、“方式Ａ”又は“方式Ｂ”の著作権管理方式が、認証用サーバがコンテンツサーバ装置２とは別に存在する著作権管理方式の場合、コンテンツ取得端末１が認証用サーバに対してアクセスが可能な状況にあるか否かを確認する。
【００４９】
状況判定部１９は、通信状況確認部１８がコンテンツ取得端末１との間の通信状況を確認すると、その通信状況に基づいて、“方式Ａ”又は“方式Ｂ”の著作権管理方式に対応するコンテンツ（配信リストＩＤ＝３，４，５，６，７）の配信が可能な状況にあるか否かを判定する。
例えば、“方式Ａ”又は“方式Ｂ”の著作権管理方式がＤＴＣＰ−ＩＰである場合、ＴＴＬの値が３以下であり、かつ、ＲＴＴの値が７ｍｓ以内でなければ、コンテンツの配信が許可されないため、ＴＴＬの値が３以下であり、かつ、ＲＴＴの値が７ｍｓ以内であれば、当該著作権管理方式に対応するコンテンツは配信が可能であると判定する。
【００５０】
また、“方式Ａ”又は“方式Ｂ”の著作権管理方式が、認証用サーバがコンテンツサーバ装置２とは別に存在する著作権管理方式の場合、コンテンツ取得端末１が認証用サーバに対してアクセスが可能な状況にある場合に限り、コンテンツの配信が許可されるため、コンテンツ取得端末１が認証用サーバに対してアクセスが可能な状況であれば、当該著作権管理方式に対応するコンテンツは配信が可能であると判定する。その他、当該著作権管理方式において、固有の制限があれば、その制限の項目についても満足している場合に、当該著作権管理方式に対応するコンテンツは配信が可能であると判定する。
【００５１】
状況判定部１９は、コンテンツ配信予定リスト生成部１７により生成されたコンテンツ配信予定リストにリストアップされているＮ個（図６の例では、Ｎ＝８）のコンテンツの配信が可能な状況であるか否かを確認すると、その確認結果（著作権管理方式利用可能判定結果）をコンテンツ配信制御部３２の配信対象決定部２０に出力する（ステップＳＴ１１）。
ここでは、説明の便宜上、著作権管理方式が“方式Ｂ”と“なし”のコンテンツ（配信リストＩＤ＝１，２，５，６，７，８）については配信が可能な状況であるが、著作権管理方式が“方式Ａ”のコンテンツ（配信リストＩＤ＝３，４）については配信が不可能な状況であるものとする。
【００５２】
コンテンツ配信制御部３２の配信対象決定部２０は、コンテンツ配信予定リスト生成部１７からコンテンツ配信予定リストを受け、状況判定部１９から著作権管理方式利用可能判定結果を受けると、そのコンテンツ配信予定リストにリストアップされているＮ個（図６の例では、Ｎ＝８）のコンテンツのうち、状況判定部１９により配信が可能な状況にあると判定された６個のコンテンツ（配信リストＩＤ＝１，２，５，６，７，８）を配信対象のコンテンツに決定し、配信対象の６個のコンテンツ（配信リストＩＤ＝１，２，５，６，７，８）を配信順序決定部２１に通知する。
【００５３】
配信順序決定部２１は、配信対象決定部２０から配信対象の６個のコンテンツ（配信リストＩＤ＝１，２，５，６，７，８）の通知を受けると、著作権管理方式優先度取得要求を著作権管理方式優先度管理部１４に出力して（ステップＳＴ１２）、著作権管理方式優先度管理部１４の優先度記憶メモリ１４ａに記録されている著作権管理方式優先度プロファイルを取得する（ステップＳＴ１３）。
ここで、図７は著作権管理方式優先度プロファイルの一例を示す説明図である。
図７では、著作権管理方式“方式Ａ”の優先度が最も高く、次に“方式Ｂ”の優先度が高く、“なし”が最も低い例を示している。
【００５４】
次に、配信順序決定部２１は、コンテンツ配信予定リストにリストアップされている８個のコンテンツのうち、配信対象の６個のコンテンツ（配信リストＩＤ＝１，２，５，６，７，８）以外のコンテンツ（配信リストＩＤ＝３，４）をコンテンツ配信予定リストから外すフィルタリング処理を実施する。
これにより、コンテンツ配信予定リストにリストアップされているコンテンツの個数は、８個から６個に減少する。
【００５５】
次に、配信順序決定部２１は、コンテンツ配信予定リストに残っている６個のコンテンツの配信順序を決定するために、図７の著作権管理方式優先度プロファイルを参照して、“方式Ａ”、“方式Ｂ”、“なし”の優先度を確認する。
そして、配信順序決定部２１は、優先度が高い著作権管理方式に対応しているコンテンツから順番に配信されるように、コンテンツ配信予定リストに残っている６個のコンテンツの配信順序を決定して、コンテンツ配信予定リスト中のコンテンツを配信順序通りにソートを行う（ステップＳＴ１４）。
【００５６】
即ち、コンテンツ配信予定リストに残っている６個のコンテンツ（配信リストＩＤ＝１，２，５，６，７，８）の著作権管理方式は、“方式Ｂ”又は“なし”であり、“方式Ｂ”の優先度が“なし”の優先度より高いので、“方式Ｂ”のコンテンツから先に配信されるように、６個のコンテンツの配信順序を決定する。
図８は配信順序決定部２１による配信順序整列後のコンテンツ配信予定リストの一例を示す説明図である。
図８の例では、著作権管理方式が“方式Ｂ”のコンテンツ（配信リストＩＤ＝５，６，７）を先に配信してから、“なし”のコンテンツ（配信リストＩＤ＝１，２，８）を配信するコンテンツ配信予定リストを示している。
配信順序決定部２１は、通信インタフェース部１１を介して、配信順序整列後のコンテンツ配信予定リストをコンテンツ取得端末１に配信する（ステップＳＴ１５）。
【００５７】
コンテンツ取得端末１は、コンテンツサーバ装置２から配信されたコンテンツ配信予定リストを受信すると、著作権管理方式に応じた機器同士の認証を得て、その著作権管理方式に応じて暗号化されたコンテンツの復号に用いる暗号鍵を取得する必要があるため、そのコンテンツ配信予定リストに含まれている配信予定のコンテンツの著作権管理方式を確認し、その著作権管理方式に係る認証・鍵交換要求をコンテンツサーバ装置２に送信する（ステップＳＴ１６）。
図８の例では、著作権管理方式が“方式Ｂ”と“なし”のコンテンツがコンテンツ配信予定リストに含まれているので、著作権管理方式が“方式Ｂ”と“なし”に係る認証・鍵交換要求をコンテンツサーバ装置２に送信する。
【００５８】
コンテンツサーバ装置２におけるコンテンツ配信制御部３２の要求受信部１５は、通信インタフェース部１１を介して、コンテンツ取得端末１から送信された認証・鍵交換要求を受信すると、その認証・鍵交換要求を認証・鍵交換部２３に出力する（ステップＳＴ１６）。
【００５９】
認証・鍵交換部２３は、要求受信部１５から認証・鍵交換要求を受けると、その認証・鍵交換要求にしたがって、コンテンツ取得端末１に対する“著作権管理方式Ｂ”に応じた認証処理を実施するとともに、コンテンツ取得端末１に対する“著作権管理方式なし”に応じた認証処理を実施する（ステップＳＴ１７）。
コンテンツ取得端末１に対する認証処理自体は公知の技術であるため、ここでは詳細な説明を省略する。
【００６０】
認証・鍵交換部２３は、認証処理を実施して、コンテンツ取得端末１の認証が得られれば、そのコンテンツの著作権管理方式に対応する暗号鍵と認証結果をコンテンツ配信制御部３２のコンテンツ配信部２４に出力し、コンテンツ取得端末１の認証が得られなければ、その認証結果だけをコンテンツ配信制御部３２のコンテンツ配信部２４に出力する（ステップＳＴ１８）。
また、認証・鍵交換部２３は、コンテンツ取得端末１の認証が得られれば、通信インタフェース部１１を介して、そのコンテンツの著作権管理方式に対応する暗号鍵と認証結果をコンテンツ取得端末１に配信し、コンテンツ取得端末１の認証が得られなければ、通信インタフェース部１１を介して、その認証結果だけをコンテンツ取得端末１に配信する（ステップＳＴ１９）。
【００６１】
コンテンツ取得端末１は、コンテンツサーバ装置２から配信された認証結果を受信し、その認証結果が、コンテンツ取得端末１の認証が得られている旨を示していれば、その認証結果と一緒に配信された暗号鍵を保存し、コンテンツ配信開始要求をコンテンツサーバ装置２に送信する。
コンテンツサーバ装置２におけるコンテンツ配信制御部３２の要求受信部１５は、通信インタフェース部１１を介して、コンテンツ取得端末１から送信されたコンテンツ配信開始要求を受信すると、そのコンテンツ配信開始要求をコンテンツ配信部２４に出力する（ステップＳＴ２０）。
【００６２】
コンテンツ配信部２４は、要求受信部１５からコンテンツ配信開始要求を受けると、コンテンツ蓄積部１２により蓄積されているコンテンツの中から、図８のコンテンツ配信予定リストに含まれている配信予定のコンテンツを順番に取得する（ステップＳＴ２１，ＳＴ２２）。
即ち、コンテンツ配信部２４は、メタデータ管理部１３により管理されているメタデータ（コンテンツの記録先を示すＵＲＩ）を参照して、コンテンツ蓄積部１２から配信予定のコンテンツを取得する。
そして、コンテンツ配信部２４は、認証・鍵交換部２３から出力された暗号鍵を用いて、そのコンテンツを暗号化する。
コンテンツの著作権管理方式が“方式Ｂ”であれば、“方式Ｂ”に対応する暗号鍵を用いて、そのコンテンツを暗号化し、コンテンツの著作権管理方式が“なし”であれば、“なし”に対応する暗号鍵を用いて、そのコンテンツを暗号化する。
【００６３】
コンテンツ配信部２４は、コンテンツの暗号化が完了すると、通信インタフェース部１１を介して、暗号化後のコンテンツをコンテンツ取得端末１に順番に配信する（ステップＳＴ２３）。
図８の例では、下記の順番で、暗号化後のコンテンツをコンテンツ取得端末１に配信する
コンテンツ（ＩＤ＝５）→コンテンツ（ＩＤ＝６）→コンテンツ（ＩＤ＝７）→コンテンツ（ＩＤ＝１）→コンテンツ（ＩＤ＝２）→コンテンツ（ＩＤ＝８）
【００６４】
コンテンツ取得端末１は、コンテンツサーバ装置２から配信された暗号化後のコンテンツを順次受信し、先に保存している暗号鍵を用いて、そのコンテンツの暗号化を解除し、そのコンテンツの再生を行う。
コンテンツの著作権管理方式が“方式Ｂ”であれば、“方式Ｂ”に対応する暗号鍵を用いて、そのコンテンツの暗号化を解除し、コンテンツの著作権管理方式が“なし”であれば、“なし”に対応する暗号鍵を用いて、そのコンテンツの暗号化を解除する。
【００６５】
以上で明らかなように、この実施の形態１によれば、メタデータ管理部１３により管理されているメタデータを参照して、ユーザが配信を希望しているコンテンツの著作権管理方式を確認し、コンテンツ取得端末１との間の通信状況に基づいて、その著作権管理方式に対応しているコンテンツの配信が可能な状況にあるか否かを判定する著作権管理方式利用可能判定部３１と、ユーザが配信を希望しているコンテンツのうち、著作権管理方式利用可能判定部３１により配信が可能な状況にあると判定されたコンテンツを配信対象のコンテンツに決定する配信対象決定部２０と、著作権管理方式優先度管理部１４により管理されている優先度を参照して、配信対象決定部２０により配信対象に決定されたコンテンツの著作権管理方式の優先度を確認し、優先度が高い著作権管理方式に対応しているコンテンツから順番に配信されるように、配信対象に決定されたコンテンツの配信順序を決定する配信順序決定部２１とを設け、コンテンツ配信部２４がコンテンツ蓄積部１２により蓄積されているコンテンツの中から、配信順序決定部２１により決定された配信順序が先のコンテンツから順番に取得して、そのコンテンツをコンテンツ取得端末１に配信するように構成したので、著作権管理方式に違反しないコンテンツを配信することができるとともに、優先度が高い著作権管理方式のコンテンツを優先的に配信することができる。その結果、例えば、利用機会が少ない著作権管理方式のコンテンツを優先的に配信する著作権管理方式優先度プロファイルなどを定義しておけば、そのようなコンテンツの視聴機会を増やす便宜を図ることができる効果を奏する。
【符号の説明】
【００６６】
１  コンテンツ取得端末、２  コンテンツサーバ装置、３  無線ルータ、４  インターネット、５  無線アクセスポイント、１１  通信インタフェース部、１２  コンテンツ蓄積部（コンテンツ蓄積手段）、１３  メタデータ管理部（メタデータ管理手段）、１３ａ  メタデータ記憶メモリ、１４  著作権管理方式優先度管理部（優先度管理手段）、１４ａ  優先度記憶メモリ、１５  要求受信部（識別情報受信手段）、１６  メタデータ配信部、１７  コンテンツ配信予定リスト生成部（配信対象決定手段）、１８  通信状況確認部（状況判定手段）、１９  状況判定部（状況判定手段）、２０  配信対象決定部（配信対象決定手段）、２１  配信順序決定部（配信順序決定手段）、２２  コンテンツ配信予定リスト配信部、２３  認証・鍵交換部（コンテンツ配信手段）、２４  コンテンツ配信部（コンテンツ配信手段）、３１  著作権管理方式利用可能判定部、３２  コンテンツ配信制御部。
【図１】
2011215763.tif 000003
【図２】
2011215763.tif 000004
【図３】
2011215763.tif 000005
【図４】
2011215763.tif 000006
【図５】
2011215763.tif 000007
【図６】
2011215763.tif 000008
【図７】
2011215763.tif 000009
【図８】
2011215763.tif 000010